(57)【要約】【課題】  電子機器とネットワーク回線を通じて接続されている外部機器への接続手段をより簡易的に実現し、普段からインターネットの利用に長けている使用者のみならず、高齢者など複雑な操作が苦手な人に対しても広く利用可能とするネットワーク回線を通じて外部機器への接続が可能な電子機器および前記電子機器を用いた外部機器への接続手段を提供する。【解決手段】  表示装置１００は、記憶媒体たるＵＳＢ２００を装着可能とするＵＳＢコネクタ１０５を備え、前記ＵＳＢ２００には使用者の個人特定情報を暗号化して記憶し、ネットワーク回線を通じて外部機器たるサーバー３００に接続する際、前記個人特定情報と前記ＵＳＢ２００のシリアル番号と、前記表示装置１００のＭＡＣアドレスを前記サーバー３００に送信して照合し、前記情報が一致した場合のみ前記外部機器３００への接続を許可する。【選択図】図１
2013196459.tif 000002
【特許請求の範囲】
【請求項１】
ネットワーク回線を通じて外部機器との間で双方向の情報通信を可能とする外部機器への接続が可能な電子機器であって、前記電子機器は、記憶媒体に記憶された情報を抽出する抽出部と、前記電子機器を特定する製品特定情報を記憶する製品情報記憶部と、前記抽出部によって抽出された前記記憶媒体の情報と前記製品特定情報を前記外部機器へ送信する、或いは前記外部機器からの情報を受信する電子機器側送受信部と、を有し、前記記憶媒体は、前記電子機器を使用する使用者の個人特定情報と、前記記憶媒体を特定する媒体特定情報と、を有し、前記電子機器側送受信部より前記外部機器へ前記個人特定情報、前記媒体特定情報、および前記製品特定情報を送信し、前記外部機器側で各特定情報の照合および判別を行い前記外部機器への接続の可否を決定することを特徴とする外部機器への接続が可能な電子機器。
【請求項２】
ネットワーク回線を通じて外部機器との間で双方向の情報通信を可能とする外部機器への接続が可能な電子機器であって、前記電子機器は、記憶媒体に記憶された情報を抽出する抽出部と、前記電子機器を特定する製品特定情報を記憶する製品情報記憶部と、前記抽出部によって抽出された前記記憶媒体の情報と前記製品特定情報を前記外部機器へ送信する、或いは前記外部機器からの情報を受信する電子機器側送受信部と、を有し、前記記憶媒体は、前記電子機器を使用する使用者の個人特定情報と、前記記憶媒体を特定する媒体特定情報と、を有し、前記外部機器は、前記個人特定情報、前記媒体特定情報、および前記製品特定情報と同様の情報を予め記憶する情報記憶部と、前記電子機器と前記外部機器の間で情報の送受信を可能とする外部機器側送受信部と、前記電子機器から前記外部機器へ送信される情報と前記情報記憶部に記憶された情報を照合して同異を判別する判別部と、を有し、前記電子機器から送信された前記個人特定情報、前記媒体特定情報、および前記製品特定情報と前記外部機器の前記情報記憶部に記憶された情報が同じであった場合にのみ前記外部機器への接続を許容することを特徴とする電子機器を用いた外部機器への接続手段。
【請求項３】
記憶媒体は、個人特定情報を記憶する記憶部と、前記記憶部に記憶された情報を送信するための端子を有し、電子機器は、前記端子を接続可能とする接続部と、前記接続部に前記記憶媒体が接続されているか否かを検知する検知部と、を有することを特徴とする請求項１または請求項２に記載の外部機器への接続が可能な電子機器および前記電子機器を用いた外部機器への接続手段。
【請求項４】
前記電子機器は表示部を備えた表示装置であり、前記表示装置の製品特定情報としてＭｅｄｉａ  Ａｃｃｅｓｓ  Ｃｏｎｔｒｏｌ  Ａｄｄｒｅｓｓを有することを特徴とする請求項１乃至請求項３に記載の外部機器への接続が可能な電子機器および前記電子機器を用いた外部機器への接続手段。
【請求項５】
外部機器は、電子機器から送信された個人特定情報、媒体特定情報、および製品特定情報と前記外部機器の情報記憶部に記憶された情報との照合結果に基づいて前記電子機器と前記外部機器の接続を許可する、或いは前記電子機器と前記外部機器の接続を禁止するとともに、前記外部機器側から前記電子機器側へ接続可否の情報を送信する制御部を備えたことを特徴とする請求項１乃至請求項４に記載の外部機器への接続が可能な電子機器および前記電子機器を用いた外部機器への接続手段。
【請求項６】
前記記憶媒体が有する個人特定情報は暗号化されており、前記個人特定情報を含む情報を受信する外部機器は、前記暗号化された個人特定情報を復号化する復号部を備えたことを特徴とする請求項１乃至請求項５に記載の外部機器への接続が可能な電子機器および前記電子機器を用いた外部機器への接続手段。
【発明の詳細な説明】
【技術分野】
【０００１】
本発明は、ネットワーク回線を通じて外部機器との間で双方向の情報通信を可能とする機能を備えた電子機器に関し、特に前記電子機器から外部機器へ接続するための手段に関する。
【背景技術】
【０００２】
近年、インターネットなどのネットワーク回線を利用した双方向の情報通信が可能な電子機器として、パーソナルコンピュータや携帯電話などがある。そして、前記ネットワーク回線を通じて外部機器に接続することで、さまざまな情報の閲覧や第三者とのコミュニケーション、或いは商品の購入などが可能となっている。具体的な例を述べると、インターネット上で公開されているニュースの閲覧や電子メールのやりとり、或いはショッピングやオークションなどが出来る。
【０００３】
このように、ネットワーク技術の飛躍的な発展によって、個人の生活環境にも変化が現れている。例えば、従来は情報を得るために見られていた新聞や、相手との連絡手段として自宅に備え付けられていた固定電話は必ずしも必要とはされなくなった。また、ショッピングに至っては、直接店舗まで行くことなく、ネットワーク回線が使用可能なパーソナルコンピュータや携帯電話などの電子機器を利用して自分が欲しい商品をいつでも注文することが出来る時代となっている。
【０００４】
しかし、前述の環境変化に伴い、従来には無かった新たな課題が生じている。その一つに個人特定情報の管理があり、例えば、電子メールのやり取りや商品の注文を行う上で自身を特定する手段として、および、第三者による閲覧や悪用を防止するためのプライバシーの保護手段として、個々にＩＤおよびパスワードの付与が必要となる。すなわち、電子機器からネットワーク回線を通じて外部機器に接続するために、自身を証明するためのＩＤおよびパスワードを入力する段階をふまえた上で初めて外部機器へ接続できる。
【０００５】
しかしながら、前記外部機器に接続するたびに認証データの入力を余儀なくされる使用者の立場であれば、その行為が煩わしく、より簡易的な接続手段が求められている。そこで、電子機器からネットワーク回線を通じて外部機器へ接続する度に使用者が認証データを入力することなく自動認証によって前記外部機器へ接続する手段として、例えば特許文献１が公知の技術として開示されている。
【０００６】
【特許文献１】特開２００１−１８８７５５号公報
【発明の開示】
【発明が解決しようとする課題】
【０００７】
前記特許文献１に記載の電子機器では、以下の手段によって外部機器への接続を実現している。
（１）外部機器へ接続するための認証データを入力する認証データ入力手段。
（２）認証データ入力手段により入力された認証データを外部機器に対応付けて記憶する認証データ記憶手段。
（３）使用者を認証する使用者認証手段。
（４）使用者認証手段により使用者が認証された状態で外部機器を指定する指定手段。
（５）指定手段により指定された外部機器に対応付けられて認証データ記憶手段に記憶されている認証データを用いて、指定された外部機器への認証手続きを実行する認証実行手段。
【０００８】
上記構成によれば、電子機器からネットワーク回線を通じて外部機器に接続するための認証データを入力すると、入力された認証データはその外部機器に対応付けられて認証データ記憶手段に記憶される。そして、使用者を認証する使用者認証手段により使用者が認証された状態で、指定手段により外部機器が指定されると、指定された外部機器に対応付けられて前記認証データ記憶手段に記憶されている認証データが用いられ、前記指定された外部機器への認証手続きが実行されるので、使用者はこの電子機器に対する本人認証を行って、所望の外部機器を指定するだけで、指定された外部機器に対応付けられた認証データによって自動認証による接続が行われるようになる。
【０００９】
したがって、例えばネットワーク回線で接続された外部機器で公開されているサービスサイトへ接続する度に認証データの入力操作を行う必要が無くなり、使用者側の煩わしさを軽減することが可能となる。
【００１０】
ところで、ネットワーク回線を通じて外部機器との接続を可能とする電子機器について、近年では、放送信号を受信して映像出力と音声出力を主とするテレビジョン受像機や、ディスク記憶媒体の記録および再生を主とするディスク記録再生装置などにおいても機能の一つとして普及している。また、電子機器の操作そのものが苦手な高齢者にとっては、パーソナルコンピュータや携帯電話によるネットワーク回線を利用した外部機器への接続操作そのものが煩わしく利用されない可能性が高く、前述した自宅でのショッピングやコミュニケーションなどは、電子機器の操作に長けている使用者だけでなく、身体に障害を患っている人や高齢者を含め広く利用されるのが望ましい。
【００１１】
本発明は上述した点に鑑みてなされたものであって、電子機器とネットワーク回線を通じて接続されている外部機器への接続手段をより簡易的に実現し、普段からインターネットの利用に長けている使用者のみならず、高齢者など複雑な操作が苦手な人に対しても広く利用可能とするネットワーク回線を通じて外部機器への接続が可能な電子機器および前記電子機器を用いた外部機器への接続手段を提供することにある。
【００１２】
また、本発明の他の目的としては、ネットワーク回線が使用可能な電子機器を用いた外部機器への接続手段を簡易なものとしつつ、特定の条件を満たせない場合には前記外部機器への接続を確実に禁止するセキュリティの高い前記電子機器を用いた外部機器への接続手段を提供することにある。
【課題を解決するための手段】
【００１３】
請求項１に係る外部機器への接続が可能な電子機器は、ネットワーク回線を通じて外部機器との間で双方向の情報通信を可能とする電子機器であって、前記電子機器は、記憶媒体に記憶された情報を抽出する抽出部と、前記電子機器を特定する製品特定情報を記憶する製品情報記憶部と、前記抽出部によって抽出された前記記憶媒体の情報と前記製品特定情報を前記外部機器へ送信する、或いは前記外部機器からの情報を受信する電子機器側送受信部と、を有し、前記記憶媒体は、前記電子機器を使用する使用者の個人特定情報と、前記記憶媒体を特定する媒体特定情報と、を有し、前記電子機器側送受信部より前記外部機器へ前記個人特定情報、前記媒体特定情報、および前記製品特定情報を送信し、前記外部機器側で各特定情報の照合および判別を行い前記外部機器への接続の可否を決定することを特徴としている。
【００１４】
請求項２に係る電子機器を用いた外部機器への接続手段は、ネットワーク回線を通じて外部機器との間で双方向の情報通信が可能であって、前記電子機器は、記憶媒体に記憶された情報を抽出する抽出部と、前記電子機器を特定する製品特定情報を記憶する製品情報記憶部と、前記抽出部によって抽出された前記記憶媒体の情報と前記製品特定情報を前記外部機器へ送信する、或いは前記外部機器からの情報を受信する電子機器側送受信部と、を有し、前記記憶媒体は、前記電子機器を使用する使用者の個人特定情報と、前記記憶媒体を特定する媒体特定情報と、を有し、前記外部機器は、前記個人特定情報、前記媒体特定情報、および前記製品特定情報を予め記憶する情報記憶部と、前記電子機器と前記外部機器の間で情報の送受信を可能とする外部機器側送受信部と、前記電子機器から前記外部機器へ送信される情報と前記情報記憶部に記憶された情報を照合して同異を判別する判別部と、を有し、前記電子機器から送信された前記個人特定情報、前記媒体特定情報、および前記製品特定情報と前記外部機器の前記情報記憶部に記憶された情報が一致した場合にのみ前記外部機器への接続を許容することを特徴としている。
【００１５】
請求項３に係る外部機器への接続が可能な電子機器および前記電子機器を用いた外部機器への接続手段は、請求項１に記載の外部機器への接続が可能な電子機器、または請求項２に記載の電子機器を用いた外部機器への接続手段であって、記憶媒体は、個人特定情報を記憶する記憶部と、前記記憶部に記憶された情報を送信するための端子を有し、電子機器は、前記端子を接続可能とする接続部と、前記接続部に前記記憶媒体が接続されているか否かを検知する検知部と、を有することを特徴としている。
【００１６】
請求項４に係る外部機器への接続が可能な電子機器および前記電子機器を用いた外部機器への接続手段は、請求項１に記載の外部機器への接続が可能な電子機器、または請求項２に記載の電子機器を用いた外部機器への接続手段、若しくは請求項３に記載の外部機器への接続が可能な電子機器および前記電子機器を用いた外部機器への接続手段であって、前記電子機器は表示部を備えた表示装置であり、前記表示装置の製品特定情報としてＭｅｄｉａ  Ａｃｃｅｓｓ  Ｃｏｎｔｒｏｌ  Ａｄｄｒｅｓｓを有することを特徴としている。
【００１７】
請求項５に係る外部機器への接続が可能な電子機器および前記電子機器を用いた外部機器への接続手段は、請求項１に記載の外部機器への接続が可能な電子機器、または請求項２に記載の電子機器を用いた外部機器への接続手段、若しくは請求項３または請求項４に記載の外部機器への接続が可能な電子機器および前記電子機器を用いた外部機器への接続手段であって、外部機器は、電子機器から送信された個人特定情報、媒体特定情報、および製品特定情報と前記外部機器の情報記憶部に記憶された情報との照合結果に基づいて前記電子機器と前記外部機器の接続を許可する、或いは前記電子機器と前記外部機器の接続を禁止するとともに、前記外部機器側から前記電子機器側へ接続可否の情報を送信する制御部を備えたことを特徴としている。
【００１８】
請求項６に係る外部機器への接続が可能な電子機器および前記電子機器を用いた外部機器への接続手段は、請求項１に記載の外部機器への接続が可能な電子機器、または請求項２に記載の電子機器を用いた外部機器への接続手段、若しくは請求項３乃至請求項５に記載の外部機器への接続が可能な電子機器および前記電子機器を用いた外部機器への接続手段であって、前記記憶媒体が有する個人特定情報は暗号化されており、前記個人特定情報を含む情報を受信する外部機器は、前記暗号化された個人特定情報を復号化する復号部を備えたことを特徴としている。
【発明の効果】
【００１９】
以上のような本発明の外部機器への接続が可能な電子機器によれば、記憶媒体に記憶された個人特定情報と、記憶媒体そのものを特定する媒体特定情報と、電子機器を特定する製品特定情報を用い、ネットワーク回線を通じて外部機器への接続を行うようにしているため、使用者の経験や年齢を問わず、簡単な操作で外部機器への接続を行うことが出来る。詳述すれば、ネットワーク回線を通じて外部機器への接続を試みる際に必須となっていた使用者を認証するためのＩＤおよびパスワードの入力を行う代わりに、予め媒体に個人特定情報を記憶し、自動的に認証させることで前記煩雑な操作が不要となり、外部機器への接続時における利便性の向上を図ることが可能となる。
【００２０】
また、本発明ではネットワーク回線を通じて個人特定情報、媒体特定情報、および製品特定情報を照合させて外部機器への接続を許可する手段としているため、換言すれば、前記個人特定情報、媒体特定情報、および製品特定情報の何れか１つの情報でも前記外部機器の情報記憶部に予め記憶されている情報と異なっている場合には前記外部機器への接続が禁止されるため、接続手段が簡単でありながらセキュリティの高い電子機器を用いた外部機器への接続手段を実現出来る。
【図面の簡単な説明】
【００２１】
【図１】本発明の実施例におけるネットワーク回線を通じて接続された電子機器と外部機器を示すブロック図。
【図２】本発明の実施例におけるサーバーへの各特定情報の設定手順を示すフローチャート。
【図３】本発明の実施例における表示装置を用いたサーバーへの接続手順を示すフローチャート。
【図４】本発明の実施例における異なるＵＳＢを装着したときのサーバーへの接続が禁止された場合を示す表示画面の図。
【図５】本発明の実施例における異なる表示装置を使用したときのサーバーへの接続が禁止された場合を示す表示装置の図。
【発明を実施するための形態】
【００２２】
以下、本発明を実施するための最良の形態としての実施例を図１〜図５を用いて以下に説明する。なお、本発明はその主旨に反しない範囲で、実施例において説明した構成以外のものに対しても容易に適用可能である。
【００２３】
図１は本発明の実施例におけるネットワーク回線を通じて接続された電子機器と外部機器を示すブロック図である。本発明の実施例では、媒体をＵＳＢ（Ｕｎｉｖｅｒｓａｌ  Ｓｅｒｉａｌ  Ｂｕｓ）２００とし、外部機器端末をサーバー３００とし、電子機器を前記ＵＳＢ２００の着脱を可能とするＵＳＢコネクタ１０５を備え、且つ前記サーバー３００との間でネットワーク回線による接続を可能とする回線コネクタ１０４を備えた表示装置１００としている。そして、特定の条件を満たすことで、前記表示装置１００を用いた前記サーバー３００への接続が可能となる。
【００２４】
ここで、本発明の実施例における表示装置１００について説明する。  本発明の実施例における表示装置１００とは、少なくとも外部信号を受信する受信端子１０１と、映像を表示する表示部１０２と、音声を出力する音声出力部１０３を備えた装置であって、所謂液晶テレビやＰＤＰ（Ｐｌａｓｍａ  Ｄｉｓｐｌａｙ  Ｐａｎｅｌ）と称される製品が前記当する。
【００２５】
そして、前記表示装置１００には前記受信端子１０１とは別に外部機器との接続を可能とする種々の端子が設けられている。例えば、アナログ信号の入出力を可能とする端子や、デジタル信号の入出力を可能とする端子があり、具体的には、ＲＧＢ端子やＨＤＭＩ端子、Ｄ端子や光端子などがある。これらの端子を介して接続された外部機器との間で信号の入出力が出来、外部機器に記憶された映像信号を表示装置１００の表示部１０２に表示する、或いは前記表示装置１００から音声信号を出力して接続された外部機器から音声を出力することが可能となる。
【００２６】
また、前記表示装置１００は、接続される端子に応じた切り替え操作によって表示部１０２に表示される画面の切り替えを可能としている。すなわち、放送信号を受信し表示部１０２に表示している状態から、切り替え操作によってネットワーク回線によって接続されたサーバー３００への接続画面に切り替えることが出来る。
【００２７】
加えて、前記表示装置１００には、個々の製品情報を記憶する製品情報記憶部１０６が設けられている。そして、前記製品情報記憶部１０６にはネットワーク回線を通じてサーバー３００を含む外部機器との双方向の通信が可能な電子機器を特定するＭＡＣアドレス（Ｍｅｄｉａ  Ａｃｃｅｓｓ  Ｃｏｎｔｒｏｌ  Ａｄｄｒｅｓｓ）が記憶されている。
【００２８】
さらに、前記表示装置１００には、ＵＳＢコネクタ１０５にＵＳＢ２００が装着されているか否か、および回線コネクタ１０４にネットワーク回線が接続されていて、且つサーバー３００への接続要求が可能な状態にあるか否かを検知する検知部１０７と、前記ＵＳＢコネクタ１０５に装着された状態のＵＳＢ２００から情報を抽出する抽出部１０８と、サーバー３００との間でネットワーク回線を通じて送受信を行う表示装置側送受信部１０９が設けられている。これは、ネットワーク回線を通じてサーバー３００に接続するために必要であり、詳細については後述する。
【００２９】
つぎに、前記表示装置１００に設けられたＵＳＢコネクタ１０５に装着するＵＳＢ２００について説明する。ＵＳＢ２００には、データを記憶する記憶部２０１が設けられており、本発明の実施例では、表示装置１００を用いてサーバー３００に接続する使用者の個人特定情報を暗号化したファイル（以下、暗号ファイルと称す）を記憶する。また、前記ＵＳＢ２００には媒体そのものを特定するための媒体情報が予め記憶されており、本発明の実施例ではＵＳＢ２００のシリアル番号が媒体情報に相当する。
【００３０】
つぎに、本発明の実施例におけるサーバー３００について説明する。本発明の実施例におけるサーバー３００には、表示装置１００を用いて前記サーバー３００に接続を希望する使用者の個人特定情報と、前記表示装置１００の特定情報たるＭＡＣアドレスと、前記表示装置１００のＵＳＢコネクタ１０５に装着するＵＳＢ２００の媒体特定情報たるシリアル番号（以下、総じて各特定情報と称す）を予め記憶するための情報記憶部３０１が設けられている。また、前記サーバー３００には、接続を求める表示装置１００との間でネットワーク回線を通じて情報の送受信を行うサーバー側送受信部３０２と、前記表示装置１００側より受信するＵＳＢ２００の記憶部２０１に記憶された暗号ファイルを前記サーバー３００内で復号するための復号部３０３と、前記表示装置１００側より受信した各特定情報と情報記憶部３０１に予め記憶された各特定情報を照合し、前記各特定情報が同じであるか否かの判別をするための判別部３０５と、前記判別部３０５による照合結果に基づいて前記サーバー３００への接続を許可する、或いは前記サーバー３００への接続を禁止する制御部３０５を備えている。
【００３１】
以上のように、本発明の実施例によれば、サーバー３００に予め記憶された各特定情報が前記サーバー３００に接続を求める表示装置１００から送信された各特定情報と一致したときにのみ、前記サーバー３００への接続を許可するものであって、従来サーバーへの接続に必要とされていたＩＤおよびパスワードの入力作業が不要となり、条件を満たせば簡単にサーバーへ接続することが出来る。換言すれば、条件を満たせない場合はサーバーへの接続が出来ないことから、第三者が使用者を装ってサーバーに不正に接続することを防止出来ることから、セキュリティの高い認証システムの構築が可能となる。
【００３２】
つぎに、表示装置１００を用いてサーバー３００に接続するため各特定情報を前記サーバー３００の情報記憶部３０１に記憶する手順について説明する。図２は本発明の実施例におけるサーバーへの各特定情報の設定手順を示すフローチャートである。ここで、表示装置１００を用いてサーバー３００への接続を行う人を使用者と称し、前記サーバー３００の管理および運用を行う人を管理者と称して説明を続ける。まず、使用者がサーバー３００への接続を希望する場合、管理者側で個人特定情報の入手が必要となる（ステップＳ０００１）。個人特定情報を入手する一例として、使用者が購入する表示装置にサーバー３００へ接続を行うための申込用紙を同梱しておき、前記申込用紙に使用者側で必要な項目の記入し、記入された前記申込用紙を前記管理者へ提出する手段がある。なお、前記申込用紙の記入内容としては、使用者の個人特定情報たる氏名、生年月日、年齢、性別、住所、電話番号などがある。
【００３３】
前記申込用紙を受領した管理者は、使用者が記入した内容に基づきサーバー３００へ情報を記憶する（ステップＳ０００２）とともに、暗号ファイルの作成を行う（ステップＳ０００５）。すなわち、管理者は使用者の個人特定情報をサーバー３００の情報記憶部３０１に記憶し、前記個人特定情報を暗号化した暗号ファイルをＵＳＢ２００の記憶部２０１に記憶する（ステップＳ０００６）。そして、前記暗号ファイルが記憶されたＵＳＢ２００は使用者へ返却する（ステップＳ０００７）。
【００３４】
なお、表示装置１００に同梱される申込用紙には、個々の製品毎にＭＡＣアドレスを記しておき、使用者の個人特定情報をサーバー３００の情報記憶部３０１に記憶する際に、前記ＭＡＣアドレスも併せて記憶する（ステップＳ０００３）。また、使用者の個人特定情報の暗号ファイルを記憶するＵＳＢ２００のシリアル番号についても同じくサーバー３００の情報記憶部３０１に記憶する（ステップＳ０００４）ことで、前記サーバー３００側での各特定情報の設定は完了する。
【００３５】
つぎに、本発明の実施例における表示装置１００を用いたサーバー３００への接続手順について説明する。図３は本発明の実施例における表示装置を用いたサーバーへの接続手順を示すフローチャートである。表示装置１００を用いてサーバー３００へ接続する前準備として、使用者は前記表示装置１００のＵＳＢコネクタ１０５に暗号ファイルを記憶部２０１に記憶したＵＳＢ２００を装着する（ステップＳ１００１）。また、前記表示装置１００の回線コネクタ１０４にネットワーク回線を接続する（ステップＳ１００２）。
【００３６】
そして、表示部１０２の画面をサーバー３００への接続を要求する画面に切り替える（ステップＳ１００３）ことで、前記表示装置１００内の検知部１０７が前記サーバー３００への接続が可能な状態か否かを確認する。すなわち、前記表示装置１００のＵＳＢコネクタ１０５に前記ＵＳＢ２００が装着されているか否かの確認と、前記表示装置１００の回線コネクタ１０４にネットワーク回線が接続され、且つサーバー３００への接続要求が可能な状態にあるか否かの確認を検知部１０７によって行う。
【００３７】
前記表示装置１００に前記ＵＳＢ２００が装着されていて、且つ前記サーバー３００への接続要求が可能な状態であることを前記検知部１０７によって確認した後、前記表示装置１００の抽出部１０８によって前記ＵＳＢ２００から暗号ファイルと前記ＵＳＢ２００のシリアル番号を抽出する（ステップＳ１００４）。そして、前記暗号ファイルと前記シリアル番号、および前記表示装置１００の製品情報記憶部１０６に記憶された特定情報たるＭＡＣアドレスを含む各特定情報は、前記表示装置１００の回線コネクタ１０４に接続されたネットワーク回線を通じてサーバーへ送信される（ステップＳ１００５）。
【００３８】
前記表示装置１００より送信された各特定情報を前記サーバー３００が受信すると、まず、復号部３０３において暗号ファイルの復号化が行われ（ステップＳ１００６）、使用者の個人特定情報が展開される。そして、前記個人特定情報と、ＵＳＢのシリアル番号と、表示装置のＭＡＣアドレスの各特定情報と、前記サーバー３００内の情報記憶部３０１に予め記憶された各特定情報との照合を判別部３０４によって行う（ステップＳ１００７〜Ｓ１００９）。
【００３９】
すなわち、サーバーへの接続を希望する使用者が間違いないか（ステップＳ１００７）、前記サーバーへ接続するために使用される媒体が間違いないか（ステップＳ１００８）、および、サーバーへ接続するために用いる表示装置が間違いないか（ステップＳ１００９）、の全ての条件を満たしていることを各特定情報の照合によって確認し、前記判別部３０４によって各特定情報に差異が無いことが判明した場合のみ、制御部３０５によって前記サーバー３００への接続を許可する。なお、各特定情報に差異が無い条件を満たした場合、例えば、前記判別部３０４の照合結果をネットワーク回線を通じて表示装置１００側に送信し、前記表示装置１００の表示部１０２にサーバーへの接続が可能であることを表示したり、或いは前記判別部３０４の照合結果を割愛して直接サーバーの情報を前記表示部１０２に表示するなど、製品の仕様に応じて適宜選定すれば良い。
【００４０】
つぎに、サーバー３００への接続が禁止される場合について説明する。前述のとおり、サーバー３００への接続を許可するための条件として、使用者の個人特定情報と、前記個人特定情報を暗号化して記憶するＵＳＢ２００のシリアル番号と、前記ＵＳＢ２００を装着し回線コネクタ１０４に接続されたネットワーク回線を通じて前記サーバー３００に接続するための表示装置１００のＭＡＣアドレスが、前記サーバー３００の情報記憶部３０１に予め記憶された各特定情報と一致する必要がある。
【００４１】
例えば、前記サーバー３００への接続に使用するＵＳＢ２００とは異なる別のＵＳＢ２００ａを前記表示装置１００のＵＳＢコネクタ１０５に装着した状態で前記サーバー３００への接続を試みた場合を考える。この場合、前記ＵＳＢ２００ａの記憶部２０１には個人特定情報の暗号ファイルは記憶されておらず、加えて前記ＵＳＢ２００ａのシリアル番号はＵＳＢ２００のシリアル番号と異なる。そのため、前記サーバー３００内の判別部３０４における照合で条件が不一致であると判断され、前記サーバー３００への接続は禁止される。
【００４２】
図４は本発明の実施例における異なるＵＳＢを装着したときのサーバーへの接続が禁止された場合を示す表示画面の図である。サーバー３００への接続に表示装置１００とＵＳＢ２００ａが用いられることによって、同図で示す画面を表示部１０２に表示し、使用者に操作手順の間違いを促すことが出来る。具体的には、図４で示す画面を前記サーバー３００内に予め記憶しておき、判別部３０４の結果に基づいて制御部３０５により同図の画面を表示部１０２に表示するよう制御すれば良い。
【００４３】
また、前記サーバー３００への接続が禁止される別の場合として、異なる表示装置１００ａを使用した場合が考えられる。すなわち、前記サーバー３００への接続に使用する表示装置１００とは異なる別の表示装置１００ａのＵＳＢコネクタ１０５ａにＵＳＢ２００を装着した状態で前記サーバー３００への接続を試みた場合であり、前記ＵＳＢ２００の記憶部に記憶された個人特定情報の暗号ファイルと前記ＵＳＢ２００のシリアル番号は前記サーバー３００内の情報記憶部３０１に予め記憶された情報と同じであるため問題ないが、前記サーバー３００に接続する前記表示装置１００ａのＭＡＣアドレスが異なるため、前記サーバー３００内の判別部３０４における照合で条件が不一致と判断され、前記サーバー３００への接続は禁止される。
【００４４】
図５は本発明の実施例における異なる表示装置を使用したときのサーバーへの接続が禁止された場合を示す表示装置の図である。サーバー３００への接続に表示装置１００ａとＵＳＢ２００が用いられることによって、同図で示す画面を表示部１０２ａに表示し、使用者に操作手順の間違いを促すことが出来る。具体的には、図５で示す画面を前記サーバー３００内に予め記憶しておき、判別部３０４の結果に基づいて制御部３０５により同図の画面を表示部１０２ａに表示するよう制御すれば良い。
【００４５】
以上、本発明の実施例では、表示装置を用いて特定の条件を満たすことでネットワーク回線を通じてサーバーへ簡単に接続できる手段、および条件を満たさない場合にサーバーへの接続を禁止する手段について一例を述べた。しかし、本発明は主に媒体に記憶された個人特定情報と前記媒体の媒体特定情報と、前記媒体を装着可能とし、且つネットワーク回線を通じて外部機器への接続を可能とした電子機器の特定情報を用いて前記外部機器への接続可否を行うものであれば、本発明の主旨の範囲内で適宜選定可能であることを言及する。
【符号の説明】
【００４６】
１００．  表示装置
１０１．  受信端子
１０２．  表示部
１０３．  音声出力部
１０４．  回線コネクタ
１０５．  ＵＳＢコネクタ
１０６．  製品情報記憶部
１０７．  検知部
１０８．  抽出部
１０９．  表示装置側送受信部
１００ａ．表示装置
１０２ａ．表示部
１０５ａ．ＵＳＢコネクタ
２００．  ＵＳＢ
２０１．  記憶部
２００ａ．ＵＳＢ
３００．  サーバー
３０１．  情報記憶部
３０２．  サーバー側送受信部
３０３．  復号部
３０４．  判別部
３０５．  制御部
【図１】
2013196459.tif 000003
【図２】
2013196459.tif 000004
【図３】
2013196459.tif 000005
【図４】
2013196459.tif 000006
【図５】
2013196459.tif 000007